(57)【特許請求の範囲】
【請求項１】
上部が天井に架設したガイドレールに案内部材により案内され下部が床面に走行自在のキャスタにより支持された移動式パネルの緩衝装置であって、
前記移動式パネルは、弾性部材である緩衝装置を介して前記案内部材から下方に延出した支持軸に上下方向に摺動自在に支持されており、前記移動式パネルの上部フレームは両サイドフレーム内に臨むように突設した水平取付け部材を備え、該両水平取付け部材の端部に形成したガイド孔に前記支持軸が挿通し、前記両水平取付け部材は各サイドフレームに取り付けられた垂直取付け部材と溶接接合され、前記支持軸と前記水平取付け部材間に前記弾性部材が配置されていることを特徴とする移動式パネルの緩衝装置。
【請求項２】
前記弾性部材は、前記パネルの自重を支持するように前記上部フレームの下方に配置され、その付勢力は、少なくとも、前記パネルの自重より弱く設定されている請求項１に記載の移動式パネルの緩衝装置。
【請求項３】
前記弾性部材は、前記フレームの上方に配置されて前記パネルを下方に押圧付勢している請求項１に記載の移動式パネルの緩衝装置。
【発明の詳細な説明】
【０００１】
【発明の属する技術分野】
本発明は、上部が天井に架設したガイドレールに案内部材により案内され下部が床面に走行自在のキャスタにより支持された移動式パネルの緩衝装置に関する。
【０００２】
【従来の技術】
従来の部屋内を仕切る移動パネル連接式間仕切り装置として、パネル上部を天井に架設したガイドレールに案内支持させ、パネル下部は床面に対して若干の隙間を介した状態で吊支されて移動するものが知られていた。そして、この種のガイドレールは、パネルの全重量を支えるために天井内部の梁等を利用して曲げ剛性の高い堅牢なレールとして構築されていた。そして、部屋の間仕切りに際しては、パネルを順次ガイドレールに沿って移動させ、パネル側端面同士を必要枚数連接させ、パネル下部は落し部材等を用いて床面に固定して間仕切り装置を立設していた。
【０００３】
発明者等は、鋭意研究の結果、パネルの自重を床面上でキャスタ等を用いて走行可能に支持すれば、従来のようにパネルを支えるガイドレールの負担が軽減されるのでガイドレール並びにその取付け強度を簡素化できる点を見出し、ガイドレールを、パネルの走行時における案内並びに立設時において保持する強度を有すれば良いことから、天井部の梁等の位置に関係なく天井にガイドレールを直接架設することができるパネル連接式間仕切り装置を開発した。
【０００４】
【発明が解決しようとする課題】
この自重を支持するキャスタは、床面上を走行することから、パネルの高さは、天井のガイドレールの下面と床面上を走行するキャスタまでの間の寸法に合わせて決定されており、パネル使用時においてパネルの自重が直接ガイドレールに作用しないように高さを設定するため、高さ調整装置を有するキャスタがパネルの下面に取付けられていた。
【０００５】
しかしながら、この種のパネルは、高さ調整装置を介してパネルの高さが一旦設定されると、その保持された状態で使用されるが、キャスタを介して床面上を走行するよう構成されているため、床面上に凹凸部が存在した場合に、キャスタがそれに乗り上げ又は落ち込んだ際にガイドレールに急激な負荷が作用する問題が生ずる。
【０００６】
また、間仕切りされたパネルに人や重量物を寄り掛けて横方向の力を作用させると、パネルがガイドレールを中心として横に振られて下端のキャスタが浮き床面から浮き上がり易くなり、不安定な状態となる問題を有していた。
【０００７】
上記課題を解決するために、本発明の移動式パネルの緩衝装置は、パネル走行中にキャスタが床面上の凹凸部に遭遇しても、ガイドレールに急激な負荷を与えないだけでなく、パネルに横方向の力が作用して床面上に安定状態で立設支持することができるようにした移動式パネルの緩衝装置を提供することを目的とする。
【０００８】
【課題を解決するための手段】
上記課題を解決するために、本発明の移動式パネルの緩衝装置は、上部が天井に架設したガイドレールに案内部材により案内され下部が床面に走行自在のキャスタにより支持された移動式パネルの緩衝装置であって、
前記移動式パネルは、弾性部材である緩衝装置を介して前記案内部材から下方に延出した支持軸に上下方向に摺動自在に支持されており、前記移動式パネルの上部フレームは両サイドフレーム内に臨むように突設した水平取付け部材を備え、該両水平取付け部材の端部に形成したガイド孔に前記支持軸が挿通し、前記両水平取付け部材は各サイドフレームに取り付けられた垂直取付け部材と溶接接合され、前記支持軸と前記水平取付け部材間に前記弾性部材が配置されていることを特徴としている。
この特徴によれば、移動式パネルが弾性部材である緩衝装置を介して支持されているので、走行中のパネルのキャスタが、床面に存在する凹凸面に遭遇してもガイドレールに急激な負荷を与えることがなく、また、静止状態のパネルに横方向の力が作用しても床面上に安定状態で立設支持することができる。更に弾性部材を両サイドフレーム内に臨むように突設した水平取付け部材と支持軸間に収めることで、弾性部材である緩衝装置がパネル内に簡単に取付けられ、コンパクトに配設することができ、パネルに作用する垂直軸回りの回転モーメントに対しより安定するだけでなく、走行方向前後の床面で付勢力が効率良く作用する。
【００１１】
本発明の移動式パネルの緩衝装置は、前記弾性部材が、前記パネルの自重を支持するように前記上部フレームの下方に配置され、その付勢力は、少なくとも、前記パネルの自重より弱く設定されていることが好ましい。
このようにすれば、弾性部材の前記パネルの床面に対する押圧力が軽減されるので、前記パネルのキャスタが走行中に凹部に落下した際における衝撃が緩和される。
【００１２】
本発明の移動式パネルの緩衝装置は、前記弾性部材が、前記フレームの上方に配置されて前記パネルを下方に押圧付勢していることが好ましい。
このようにすれば、弾性部材の付勢力により、前記パネルの床面に対するキャスタの押圧力が増加するだけでなく、ガイドレールに対しパネルの下面が伸張できるので、パネルに横方向の外力が作用してもパネルの横振れに対し安定する。
【００１３】
【発明の実施の形態】
以下、本発明の実施例を図面に基づいて説明する。
【００１４】
図１〜図４は、本発明の移動式パネルの緩衝装置が適用された移動式パネルの一実施形態を示し、図１は天井のガイドレールに案内されて高さ調整装置を備えたキャスタにより床面上を走行するパネルの正面図、図２の（ａ）は走行パネルがガイドローラの支持軸に外装された圧縮コイルバネにより支持される支持部の部分拡大断面図、（ｂ）は（ａ）のＡ−Ａ断面図、図３はガイドローラの支持軸に外装された圧縮コイルバネを介して支持されるパネルの支持部を一部破断した拡大斜視図であり、図４はガイドローラの支持軸が支持されるパネル支持部の分解斜視図である。
【００１５】
図１に示す符号１は、間仕切り装置を示し、この間仕切り装置１は、上部が天井３に架設したガイドレール４に案内され下部が床面６に走行自在のキャスタＣ１、Ｃ２により支持された移動式パネル（以下パネル２ａ、２ｂと称する）同士が、その側端面が相互に接合し合って複数連接することにより部屋内を仕切るように構成されている。
【００１６】
これらパネル２ａ、２ｂは、図示しない矩形状の薄い中板の表裏面にスペーサを介在させて化粧板を張設して所定厚みのパネル板を構成し、その上下両端にアルミサッシなどで構成された上部フレームＦＵ及び下部フレームＦＤが装着されると共に、左右両側端から若干突出した中板１３の左右両側端にアルミサッシなどで構成されたサイドフレームＦＲ、ＦＬが装着された構成となっている。
【００１７】
パネル２ａ、２ｂ左右のサイドフレームＦＲ、ＦＬ上端には、案内部材としてのガイドローラ５ａ、５ｂが突設しており、これらガイドローラ５ａ、５ｂは垂直軸線の回りに回転可能に軸支され、ガイドレール４内に移動可能に挿嵌されている。また、パネル２ａ、２ｂの下部フレームＦＤ内部には前後に床面６上を走行するキャスタＣ１、Ｃ２が配置された構成となっている。
【００１８】
また、各パネル２ａ、２ｂには、図１に示すように、間仕切り時における進行方向後端側におけるサイドフレームＦＲの下端に挿入ロッド１０が上下方向に移動自在に設けられている。そして、この挿入ロッド１０に人為的に操作可能な操作ピン８を一体的に設けて落とし部材を構成し、挿入ロッド１０は、この操作ピン８の操作により上下方向に移動自在となっている。
【００１９】
更に、床面６には間仕切り時において、各パネル２ａ、２ｂ…が連設接合された際に操作ピン８の操作により落とし込まれた挿入ロッド１０を受け入れるための受け坪１２がそれぞれの挿入ロッド１０に対応して設けられている。
【００２０】
また、パネル２ａ、２ｂの下部フレームＦＤ内部の前後に配置されたキャスタＣ１、Ｃ２には、キャスタ高さ調整装置（以下高さ調整装置１６と称する）が設けられており、この高さ調整装置１６は、詳細は図示しないが、一方のサイドフレームＦＲ下方の内側垂直面に逆Ｌ字形アームの垂直な取付け面が上下方向摺動可能に取付けられ、他方の水平面先端の下面にはキャスタＣ１が固定されている。
【００２１】
そして、逆Ｌ字形アーム水平面には傾斜面が形成されており、該傾斜面上面には、図示しない移動ローラが外方側端面から例えばドライバーによる回転操作により進退移動に支持されている。
【００２２】
従って、ドライバーによる回転操作により移動ローラを進退移動させることより、逆Ｌ字形アーム先端のキャスタＣ１をパネル２ａに対し上下方向に調整できるようになっている。
【００２３】
次に、本発明の移動式パネルの緩衝装置につき図２〜図４を参照して詳説する。
【００２４】
すなわち、パネル２ａ、２ｂは、その前後に装着された両サイドフレームＦＲ、ＦＬ上端面に回転自在に枢支されるガイドローラ５ａ、５ｂが天井３に架設したガイドレール４に挿嵌されて案内されている。
【００２５】
詳しくは、パネル２ａの一方のガイドローラ５ｂについて説明する。パネル２ａを構成する中板１３上端面に装着される上部フレームＦＵ内の水平支持部１８の上端面両側に沿って長手方向に所定高さのブラシ体２２ａ、２２ｂがブラシ体支持部１８ａ、１８ｂに垂直に植設されている。
【００２６】
また、上部フレームＦＵ内の水平支持部１８左右の端部下面には、支持装置２０が取付けられており、この支持装置２０は下端が開口するコ字形断面の水平部材２４と、この水平部材２４の内部に装着された角ブロック２５から成る水平取付け部材２６と、この水平取付け部材２６に直交して溶接接合され上部フレームＦＵの側端面にサイドフレームＦＲの内部において該サイドフレームＦＲと共に取付けられる垂直取付け部材２８とから構成されている。
【００２７】
垂直取付け部材２８は、縦長矩形の鋼板の両端を折曲して両側にフランジ２８ａ、２８ｂを形成すると共に、幅方向中央に下方を向く切欠き部３０より外方に向けて水平に挿通突設させた水平取付け部材２６の端部が溶接接合されている。
【００２８】
サイドフレームＦＲ内部に臨むように、挿通突設させた水平取付け部材２６の端部には上下方向に貫通するガイド孔２６ａが形成され、このガイド孔２６ａに挿通したガイドローラ５ｂから下方に延出した支持軸３２に緩衝装置としての圧縮コイルバネ３４を下端から外装し、支持軸３２の下端から螺合したナット３５により圧縮コイルバネ３４の下面を水平取付け部材２６下面との間で押圧することで、圧縮コイルバネ３４の付勢力を調整できるようになっている。なお、ガイドレール４の下面と両サイドフレームＦＲ、ＦＬの上端で形成される間隙は、ガイドローラ５ｂの支持軸３２に装着された円柱状の例えばスポンジで構成されるシール部材２３により隠蔽される。
【００２９】
圧縮コイルバネ３４は、パネル２ａの自重を支持するようにパネル２ａの前後に配置されており、好ましくは、圧縮コイルバネ３４の付勢力は、少なくとも、パネル２ａの自重より弱く設定されるようになっている。
【００３０】
このように圧縮コイルバネ３４は、縦方向中空のサイドフレームＦＲ内に配置されているので、十分に自由長の長い圧縮コイルバネ３４を収容することができるので、弱いバネの設定力を得ることができる。
【００３１】
次に、本発明のパネルの緩衝装置の作用につき説明する。
【００３２】
先ず、最初に緩衝装置が作用していない状態、すなわち、圧縮コイルバネ３４の付勢力がゼロの状態に設置されているとする。
【００３３】
この状態において、図１、図２に示すように、先ず、左右のサイドフレームＦＲ、ＦＬ上端に取付けられたガイドローラ５ａ、５ｂを天井３のガイドレール４内に挿入係合した際に、例えば、サイドフレームＦＲ、ＦＬ上端のガイドローラ５ａ、５ｂがガイドレール４に吊り下げられた状態となりパネル２ａ、２ｂの自重がガイドレール４に直接作用しているとする。
【００３４】
そこで、図１に示されるキャスタＣ１、Ｃ２の高さ調整装置１６を操作して、ガイドレール４に対し直接作用するパネル２ａ、２ｂの自重を解消するために、パネル２ａ、２ｂを上昇させる作業が行われる。
【００３５】
すなわち、ドライバーを介して図示しない移動ローラを移動させてアームの傾斜面上に転動させることにより、キャスタＣ１、Ｃ２をパネル２ａに対し高さ方向下方に移動することで、キャスタＣ１、Ｃ２下面とパネル２ａの下部フレームＦＤ間の寸法が増加する。
【００３６】
このように調整されたキャスタＣ１、Ｃ２によってパネル２ａの上昇移動により、パネル２ａ自重の全てが作用しない弱い状態Ｌ（図５の（ｂ）参照）に設定する。
【００３７】
このように設定すると、パネル２ａの床面６に対する押圧力が軽減されるので、図５の（ａ）に示されるように、走行するパネル２ａのキャスタＣ１が、床面６に形成されている深さＹの凹部６ａに落下した際に、圧縮コイルバネ３４が設定長さＬからＬ２に伸張することで、パネル２ａの自重が吸収されるので、ガイドローラ５ａ、５ｂを介してガイドレール４の支持面に作用する急激な衝撃力を緩和することができる。
【００３８】
また、図５の（ｂ）に示されるように、パネル２ａ、２ｂに横方向の外力が作用してその下面がガイドレール４を中心として横方向にＸ移動すると、圧縮コイルバネ３４が設定長さＬからＬ１に伸張してパネル２ａ、２ｂがキャスタＣ１、Ｃ２を介して付勢状態で支持される。
【００３９】
従って、パネル２ａ、２ｂに横方向の外力が作用してその下面がガイドレール４を中心として横方向に振られても、圧縮コイルバネ３４がＬ１に伸張してキャスタＣ１、Ｃ２が床面６上から浮き上がらずに接触しているので、パネル２ａ、２ｂを安定状態に支持することができる。
【００４０】
このように圧縮コイルバネ３４が、縦方向中空のサイドフレームＦＲ内に配置されるので、十分に自由長の長い圧縮コイルバネ３４を収容することができ、圧縮コイルバネ３４により支持される荷重の調整範囲を広くとることができる。
【００４１】
なお、前述した実施形態では、圧縮コイルバネ３４を、水平取付け部材２６端部を上下に挿通した支持軸３２に外装して、水平取付け部材２６の下方に配置した構成として説明したが、水平取付け部材２６上部の支持軸３４に圧縮コイルバネ３４を外装し、支持軸３４を横切る方向に挿通した図示しない係止ピンを介して付勢状態で保持することで、パネル２ａに下方に向く押圧力を付勢させることができる。
【００４２】
このようにすることにより、圧縮コイルバネ３４の付勢力により、パネル２ａ、２ｂの床面６に対するキャスタＣ１、Ｃ２の押圧力が増加するだけでなく、ガイドレール４に対しパネル２ａ、２ｂの下面が伸張できるので、パネル２ａ、２ｂに横方向の外力が作用してもパネル２ａ、２ｂの横振れに対し安定する。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
【発明の効果】
本発明によれば、次のような効果が得られる。
【００４５】
（ａ）請求項１に記載の発明によれば、移動式パネルが緩衝装置を介して支持されているので、走行中のパネルのキャスタが、床面に存在する凹凸面に遭遇してもガイドレールに急激な負荷を与えることがなく、また、静止状態のパネルに横方向の力が作用しても床面上に安定状態で立設支持することができる。更に弾性部材を両サイドフレーム内に臨むように突設した水平取付け部材と支持軸間に収めることで、弾性部材である緩衝装置がパネル内に簡単に取付けられ、コンパクトに配設することができ、パネルに作用する垂直軸回りの回転モーメントに対しより安定するだけでなく、走行方向前後の床面で付勢力が効率良く作用する。
【００４８】
（ｂ）請求項２に記載の発明によれば、弾性部材の前記パネルの床面に対する押圧力が軽減されるので、前記パネルのキャスタが走行中に凹部に落下した際における衝撃が緩和される。
【００４９】
（ｃ）請求項３に記載の発明によれば、弾性部材の付勢力により、前記パネルの床面に対するキャスタの押圧力が増加するだけでなく、ガイドレールに対しパネルの下面が伸張できるので、パネルに横方向の外力が作用してもパネルの横振れに対し安定する。
【図面の簡単な説明】
【図１】本発明の一実施形態に係り、天井のガイドレールに案内されて高さ調整装置を備えたキャスタにより床面上を走行するパネルの正面図である。
【図２】（ａ）は走行パネルがガイドローラの支持軸に外装された圧縮コイルバネにより支持される支持部の部分拡大断面図、（ｂ）は（ａ）のＡ−Ａ断面図である。
【図３】ガイドローラの支持軸に外装された圧縮コイルバネを介して支持されるパネルの支持部を一部破断した拡大斜視図である。
【図４】ガイドローラの支持軸が支持されるパネル支持部の分解斜視図である。
【図５】（ａ）は一実施形態に係る緩衝装置の作用説明図であり、（ｂ）は他の実施形態に係る緩衝装置の作用説明図である。
【符号の説明】
１              間仕切り装置
２ａ、２ｂ      パネル（移動式パネル）
２Ａ、２Ｂ      パネル板
３              天井
４              ガイドレール
５ａ、５ｂ      ガイドローラ（案内部材）
６              床面
６ａ            凹部
８              操作ピン
１０            挿入ロッド
１２            受け坪
１３            中板
１４ａ、１４ｂ  化粧板
１６            調整装置
１８            水平支持部
１８ａ、１８ｂ  ブラシ体支持部
２０            支持装置
２２ａ、２２ｂ  ブラシ体
２３            シール部材
２４            水平部材
２５            角ブロック
２６            水平取付け部材
２６ａ          ガイド孔
２８            垂直取付け部材
２８ａ、２８ｂ  フランジ
３０            切欠き部
３２            支持軸
３４            圧縮コイルバネ（弾性部材）
３５            ナット
Ｃ１、Ｃ２      キャスタ
ＦＤ            下部フレーム
ＦＲ、ＦＬ      サイドフレーム
ＦＵ            上部フレーム
【図１】
0004570816.tif 000002
【図２】
0004570816.tif 000003
【図３】
0004570816.tif 000004
【図４】
0004570816.tif 000005
【図５】
0004570816.tif 000006